(57)【要約】【課題】苗トレイ上に残った切り屑が原因で台木用苗にウィルスが発生するという不具合の発生を防止すること。【解決手段】台木用苗を収容した苗トレイを傾斜状態に支持するトレイ支持部と、同トレイ支持部に傾斜状態に支持された苗トレイに沿わせて配置したガイド部と、同ガイド部に沿って移動しながら台木用苗の茎上側部を予備的に切断する切断部とを具備させた。このようにして、トレイ支持部に苗トレイを傾斜状態に支持させて、同状態にて切断部がガイド部に沿って移動しながら台木用苗の茎上側部を切断することができる。【選択図】        図１
2004180587.tif 000002
【特許請求の範囲】
【請求項１】
台木用苗を収容した苗トレイを傾斜状態に支持するトレイ支持部と、同トレイ支持部に傾斜状態に支持された苗トレイに沿わせて配置したガイド部と、同ガイド部に沿って移動しながら台木用苗の茎上側部を予備的に切断する切断部とを具備し、
上記トレイ支持部に支持される苗トレイの傾斜角度は、切断された茎上側部が苗トレイ上に落ちずに下方へ落下する、ないしは、苗トレイ上に落ちたとしても同苗トレイ上を滑落する程度の急角度に設定していることを特徴とする台木予備切断装置。
【請求項２】
切断された茎上側部を受ける受け部を具備することを特徴とする請求項１記載の台木予備切断装置。
【発明の詳細な説明】
【０００１】
【発明の属する技術分野】
本発明は、接ぎ木する台木用苗の茎上側部を予備的に切断するための台木予備切断装置に関する。
【０００２】
【従来の技術】
従来、台木予備切断装置の一形態として、接ぎ木苗製造装置に組み込まれたものがあり、同台木予備切断装置は、接ぎ木製造装置の台木用苗搬送ラインの始端側に、バリカン式の切断部と、同切断部により切断された台木用苗の茎上側部を空気吸引して除去する除去部とを配置して、同台木予備切断装置により苗トレイに収容された台木用苗の茎上側部が切断された後に、苗トレイが自動的に台木用苗搬送ラインに流されていくように構成している（例えば、特許文献１参照）。
【０００３】
【特許文献１】
特開２００１−３５２８３７号公報
【０００４】
【発明が解決しようとする課題】
ところが、上記した台木予備切断装置は、未だ、以下のような課題を有している。
【０００５】
（１）苗トレイ上に切り屑が残り、同切り屑が原因で台木用苗にウィルスが発生することがある。
【０００６】
（２）台木予備切断装置により葉が繁殖した台木用苗の茎上側部を切断することにより、苗トレイ中の欠株を発見することがあるが、台木用苗の茎上側部が切断された後に、苗トレイが自動的に台木用苗搬送ラインに流されていくと、補植ができない。
【０００７】
（３）未接ぎ木苗を修正する場合に、切断した茎上側部が穂木用苗のものか、又、台木用苗のものかの判断が困難であるために、台木用苗に、切断した台木用苗の茎上側部を接合するという間違いを犯すことがある。
【０００８】
【課題を解決するための手段】
そこで、本発明では、台木用苗を収容した苗トレイを傾斜状態に支持するトレイ支持部と、同トレイ支持部に傾斜状態に支持された苗トレイに沿わせて配置したガイド部と、同ガイド部に沿って移動しながら台木用苗の茎上側部を予備的に切断する切断部とを具備し、
上記トレイ支持部に支持される苗トレイの傾斜角度は、切断された茎上側部が苗トレイ上に落ちずに下方へ落下する、ないしは、苗トレイ上に落ちたとしても同苗トレイ上を滑落する程度の急角度に設定していることを特徴とする台木予備切断装置を提供するものである。
【０００９】
また、本発明は、切断された茎上側部を受ける受け部を具備することにも特徴を有する。
【００１０】
【発明の実施の形態】
以下に、本発明の実施の形態について説明する。
【００１１】
すなわち、本発明に係る台木予備切断装置は、台木用苗を収容した苗トレイを傾斜状態に支持するトレイ支持部と、同トレイ支持部に傾斜状態に支持された苗トレイに沿わせて配置したガイド部と、同ガイド部に沿って移動しながら台木用苗の茎上側部を予備的に切断する切断部と、同切断部により切断された茎上側部を受ける受け部とを具備し、上記トレイ支持部に支持される苗トレイの傾斜角度は、切断された茎上側部が苗トレイ上に落ちずに下方へ落下する、ないしは、苗トレイ上に落ちたとしても同苗トレイ上を滑落する程度の急角度に設定している。
【００１２】
【実施例】
以下に、本発明の実施例を、図面を参照しながら説明する。
【００１３】
〔第１実施例〕
図１及び図２に示すＡは、本発明に係る第１実施例としての台木予備切断装置であり、同台木予備切断装置Ａは、台木用苗ｎを収容した苗トレイＴを傾斜状態に支持するトレイ支持部１と、同トレイ支持部１に傾斜状態に支持された苗トレイＴに沿わせて配置したガイド部２と、同ガイド部２に沿って移動しながら台木用苗ｎの茎上側部ｋを予備的に切断する切断部３と、同切断部３により切断された茎上側部ｋや切り屑等を下方へ滑落・案内する滑落・案内部４と、同滑落・案内部４により滑落・案内された茎上側部ｋや切り屑等を受ける受け部５とを具備している。
【００１４】
そして、トレイ支持部１は、図１及び図２に示すように、前後方向に伸延する左右一対の前後伸延体６，６と、各前後伸延体６，６の後端部より垂直上方へ伸延する左右一対の上方伸延体７，７と、各上方伸延体７，７の上端部と各前後伸延体６，６の前端部との間に直状かつ傾斜状に介設したガイド部２としての左右一対の傾斜体と、両傾斜体間に上下方向に間隔を開けて横架した複数（本実施例では三本）の横架体８，８，８と、これらの横架体８，８，８の中途部間に架設した上下方向に伸延する複数（本実施例では二本）補強体９，９と、左右方向に伸延させて上記前後伸延体６，６の前部間に横架した連結体１０とから形成している。
【００１５】
しかも、各横架体８は、左右方向に直状に伸延するトレイ係止片１１と、同トレイ係止片１１の左右側端部より前方へ伸延させて先端部をガイド部２としての傾斜体に連設した連設片１２，１２とから平面視に略Ｕ字状に形成しており、前記補強体９，９は、上下方向に間隔を開けて配置したトレイ係止片１１，１１，１１間に架設している。
【００１６】
ここで、苗トレイＴは、図１及び図２に示すように、上下左右方向に整然と多数の苗ポットＰを一定の間隔を開けて連設して形成しており、各苗ポットＰに台木用苗ｎを収容している。
【００１７】
このようにして、図１及び図２に示すように、トレイ支持部１のトレイ係止片１１，１１，１１に苗トレイＴの苗ポットＰを係止することにより、同苗トレイＴを傾斜状に支持することができる。
【００１８】
この際、苗トレイＴの傾斜角度（仰角）θは、切断された茎上側部ｋや切り屑が苗トレイＴ上に落ちずに確実に下方へ落下する、ないしは、苗トレイＴ上に落ちたとしても同苗トレイＴ上を滑落する程度の急角度に設定しており、好ましくは、θ＝７５度〜８０度に設定する。
【００１９】
ガイド部２は、前記したようにトレイ支持部１の傾斜体として一体成形しており、後述する切断部３を下方へスライドガイドして、各苗ポットＰ中に収容した台木用苗ｎの茎上側部ｋを一定の高さＨで切断することができるようにしている。
【００２０】
切断部３は、図１及び図２に示すように、左右方向に伸延する刈刃支持体１３と、同刈刃支持体１３に固定した固定刃１４と、同固定刃１４上を左右方向にスライド作動する可動刃１５と、同可動刃１５を左右方向にスライド作動させる駆動用モータ内蔵の駆動体１６とを具備して、固定刃１４と可動刃１５とによりバリカン式に切断することができるように構成しており、同駆動体１６には把持片１７を設けている。
【００２１】
このようにして、切断部３により台木用苗ｎの茎上側部ｋを切断する際には、作業者が、把持片１７を介して切断部３を手で持つと共に、刈刃支持体１３を左右一対のガイド部２，２の上部間に載置し、同状態にて可動刃１５を作動させて、ガイド部２，２上を上方から下方へ向けたａ方向へ摺動させることにより、台木用苗ｎの茎上側部ｋを一定高さＨにて確実に切断することができる。
【００２２】
滑落・案内部４は、苗トレイＴの左右幅と略同一左右幅を有する横長板状に形成して、トレイ支持部１の補強体９，９の下端部と、前後伸延体６，６の前部間に横架した連結体１０との間に介設している。
【００２３】
しかも、滑落・案内部４は、苗トレイＴの傾斜角度θと同一の傾斜角度に傾斜させて配設している。
【００２４】
このようにして、苗トレイＴ上に落ちずに下方へ落下する茎上側部ｋや切り屑、ないしは、苗トレイＴ上に落ちて同苗トレイＴ上を滑落する茎上側部ｋを、滑落・案内部４が下方へ滑落・案内して、後述の受け部５に確実に受け渡すようにしている。
【００２５】
受け部５は、図１及び図２に示すように、トレイ支持部１を収容・載置することができる程度の大きさの皿状に形成している。
【００２６】
このようにして、受け部５内にトレイ支持部１を収容・載置した状態にて台木用苗ｎの茎上側部ｋを切断すると、切断された茎上側部ｋや切り屑を受け部５で確実に受けることができるため、同茎上側部ｋや切り屑が周囲に散在するのを防止することができて、その後に行う茎上側部ｋや切り屑の回収・清掃が楽に行える。
【００２７】
〔第２実施例〕
図３及び図４は、第２実施例としての台木予備切断装置Ａを示しており、同台木予備切断装置Ａは、基本的構造を前記した第１実施例としての台木予備切断装置Ａと同じくしているが、作業者が切断部３を手に持つことなく自動的にガイド部２，２に沿って昇降させることができるように、昇降部２０を設けた点で異なる。
【００２８】
すなわち、昇降部２０は、図３及び図４に示すように、左右一対の上方伸延体７，７の上部に、従動スプロケット支持片２１，２１を介して従動スプロケット２２，２２を左右方向に軸線を向けた従動スプロケット支軸２３により一体的に回動自在に取り付ける一方、左右一対のガイド部２，２の下部に、駆動スプロケット支持片２４，２４を介して駆動スプロケット２５，２５を左右方向に軸線を向けた駆動スプロケット支軸２７により一体的に回動自在に取り付けて、上下方向に対向する従動スプロケット２２，２２と駆動スプロケット２５，２５との間にそれぞれ昇降用チェン２６，２６を巻回している。
【００２９】
そして、駆動スプロケット支軸２７の中途部に入力スプロケット２８を取り付ける一方、受け部５上に昇降駆動モータ２９を載置し、同昇降駆動モータ２９に正逆回動可能に出力軸３０を設け、同出力軸３０に出力スプロケット３１を取り付けて、同出力スプロケット３１と上記入力スプロケット２８との間に駆動チェン３２を巻回している。
【００３０】
また、前記昇降用チェン２６，２６の上側回動側部２６ａ，２６ａには、刈刃支持体連結片３３，３３を介して刈刃支持体１３を横架状態に取り付け、同刈刃支持体１３の前端縁部側に固定刃１４と可動刃１５とを取り付ける一方、後端縁部に滑落・案内部４を取り付けている。
【００３１】
このようにして、昇降駆動モータ２９を駆動させることにより、動力を正逆回動可能な出力軸３０→出力スプロケット３１→駆動チェン３２→入力スプロケット２８→駆動スプロケット支軸２７→駆動スプロケット２５，２５→昇降用チェン２６，２６に伝達して、同昇降用チェン２６，２６を正逆回動可能としている。
【００３２】
そして、図３及び図４に示すように、刈刃支持体１３をガイド部２，２の下部間に横架した状態に配置して、同状態にて切断部３の可動刃１５を作動させると共に、出力軸３０を正回動させて昇降用チェン２６，２６の上側回動側部２６ａ，２６ａを下方から上方へ向けたｂ方向へ回動させることにより、刈刃支持体１３をガイド部２，２上にて上方へ摺動・移動させることができて、この際に、切断部３により台木用苗ｎの茎上側部ｋを一定高さＨにて確実に切断することができる。
【００３３】
この場合、下方から順次台木用苗ｎの茎上側部ｋを切断するため、切断された茎上側部ｋは順次滑落・案内部４を介して下方の受け部５に確実に滑動・案内される。
【００３４】
また、本実施例では、トレイ係止片１１をガイド部２に連設している連設片１２，１２を一定長さに固定しているが、同連設片１２，１２の長さを調節可能として、台木用苗ｎの茎上側部ｋの刈取高さを適宜調節できるようにすることもできる。
【００３５】
【発明の効果】
（１）請求項１記載の本発明では、台木予備切断装置が、台木用苗を収容した苗トレイを傾斜状態に支持するトレイ支持部と、同トレイ支持部に傾斜状態に支持された苗トレイに沿わせて配置したガイド部と、同ガイド部に沿って移動しながら台木用苗の茎上側部を予備的に切断する切断部とを具備している。
【００３６】
このようにして、トレイ支持部に苗トレイを傾斜状態に支持させて、同状態にて切断部がガイド部に沿って移動しながら台木用苗の茎上側部を切断することができる。
【００３７】
この際、トレイ支持部に支持される苗トレイの傾斜角度は、切断された茎上側部が苗トレイ上に落ちずに下方へ落下する、ないしは、苗トレイ上に落ちたとしても同苗トレイ上を滑落する程度の急角度に設定しているため、切断された茎上側部や切り屑は、苗トレイ上に残留することがない。
【００３８】
その結果、苗トレイ上に残った切り屑が原因で台木用苗にウィルスが発生するという不具合の発生を確実に防止することができる。
【００３９】
そして、苗トレイ中に欠株を発見した場合には、速やかに補植することができる。
【００４０】
また、未接ぎ木苗を修正する場合に、切断した茎上側部が穂木用苗のものか、又、台木用苗のものかの判別が容易となり、台木用苗に、切断した台木用苗の茎上側部を接合するというような間違いを犯すことがなくなる。
【００４１】
（２）請求項２記載の本発明では、切断された茎上側部を受ける受け部を具備している。
【００４２】
このようにして、切断された茎上側部を受け部で受けることができるため、同茎上側部が周囲に散在するのを防止することができて、その後に行う茎上側部の回収・清掃が楽に行える。
【図面の簡単な説明】
【図１】本発明に係る第１実施例としての台木予備切断装置の正面説明図。
【図２】同台木予備切断装置の側面説明図。
【図３】第２実施例としての台木予備切断装置の正面説明図。
【図４】同台木予備切断装置の側面説明図。
【符号の説明】
Ａ  台木予備切断装置
１  トレイ支持部
２  ガイド部
３  切断部
４  滑落・案内部
５  受け部
【図１】
2004180587.tif 000003
【図２】
2004180587.tif 000004
【図３】
2004180587.tif 000005
【図４】
2004180587.tif 000006